(57)【要約】【課題】被写体画像中に表示されるスプリットイメージ表示領域内の被写体画像のずれを視認しやすくする。【解決手段】ライブビュー表示の際には、表示画面に表示画像Ｄ１が表示される。表示画面の中央付近にスプリットイメージ表示領域があり、スプリットイメージ表示領域の周囲には通常画素から生成された通常画像が表示される。スプリットイメージ表示領域は、所定の方向に分割された複数のサブ表示領域を有しており、各サブ表示領域内には、撮影レンズ４の被写体に対するピントずれに応じて相互にずれる各位相差画像が表示される。パターンメモリ２０２には、スプリットイメージ表示領域の形状や大きさ、位置、分割方向、分割数などの情報からなる表示パターンが複数記憶されている。選択部２０１で選択した表示パターンのスプリットイメージ表示領域に位相差画像が表示される。【選択図】図７４
2014110523.tif 000002
【特許請求の範囲】
【請求項１】
撮影中の被写体画像を表示するとともに、被写体画像中のスプリットイメージ表示領域を分割した各サブ表示領域内に表示される各被写体画像を、隣接するもの同士で被写体に対する撮影レンズのピントのずれに応じて相反する方向にずらして表示する撮像装置において、
撮影レンズからの光束を瞳分割した一方の光束を受光する第１画素群、及び他方の光束を受光する第２画素群と、瞳分割されていない光束を受光する第３画素群とを有する撮像素子と、
前記スプリットイメージ表示領域の範囲、スプリットイメージ表示領域をサブ表示領域に分割する方向、サブ表示領域の個数を組み合わせた表示パターンを複数記憶したメモリと、
前記メモリに記憶されている複数の表示パターンから１つの表意パターンを選択する選択部と、
前記選択部で選択された表示パターンにしたがって、スプリットイメージ表示領域に表示すべき被写体像を前記第１画素群と前記第２画素群の各出力に基づいて生成し、この生成した被写体像を、前記第３画素群から生成した被写体画像に合成して表示画像を生成する画像処理部と、
前記表示画面を有し、前記画像処理部で生成された表示画像を前記表示画面に表示する表示部と、
を備えることを特徴とする撮像装置。
【発明の詳細な説明】
【技術分野】
【０００１】
本発明は、マニュアルフォーカスでの合焦確認に用いる画像を表示する撮像装置に関する。
【背景技術】
【０００２】
位相差検出方式やコントラスト検出方式を用いたオートフォーカスの他に、撮影者が手動でフォーカス調節を行うことができる、いわゆるマニュアルフォーカスを搭載したものがある。また、マニュアルフォーカス時のピント合わせを容易にするために、ライブビュー表示される被写体画像の一部をスプリットイメージとして表示するデジタルカメラが知られている（例えば、特許文献１を参照）。
【０００３】
上記のスプリットイメージは、瞳分割方式の撮像で得られた二つの被写体画像（２つの位相差画像）からなり、隣接して表示される各位相差画像のずれ（位相差）によってピントのずれを表示する。例えば、２つの位相差画像は、表示画面上のスプリットイメージ表示領域の例えば上半分と下半分の各サブ表示領域内に表示される。ピントがずれた状態では隣接した二つの位相差画像が左右にずれて表示され、ピントが合った状態ではそれら位相差画像の左右のずれがなくなる。撮影者は、各位相差画像の左右のずれがなくなるようにフォーカスリングを操作することによってピントを被写体に合わせることができる。
【先行技術文献】
【特許文献】
【０００４】
【特許文献１】特開２００９−１４７６６５号公報
【発明の概要】
【発明が解決しようとする課題】
【０００５】
ところで、上記のように瞳分割方式の撮像で得られた二つの位相差画像の境界に対する、被写体の大きさや被写体の有するエッジ成分の方向によっては、表示された位相差画像同士のずれが認識しづらく、合焦状態が確認しにくいという問題があった。
【０００６】
本発明は、上記問題を鑑みて、様々の被写体に対して合焦状態を確認しやすい画像を表示する撮像装置を提供することを目的とする。
【課題を解決するための手段】
【０００７】
上記問題を解消するために、本発明の撮像装置は、撮影レンズからの光束を瞳分割した一方の光束を受光する第１画素群、及び他方の光束を受光する第２画素群と、瞳分割されていない光束を受光する第３画素群とを有する撮像素子と、スプリットイメージ表示領域の範囲、スプリットイメージ表示領域をサブ表示領域に分割する方向、サブ表示領域の個数を組み合わせた表示パターンを複数記憶したメモリと、メモリに記憶されている複数の表示パターンから１つの表示パターンを選択する選択部と、選択部で選択された表示パターンにしたがって、スプリットイメージ表示領域に表示すべき被写体像を第１画素群と第２画素群の各出力に基づいて生成し、この生成した被写体像を、第３画素群から生成した被写体画像に合成して表示画像を生成する画像処理部と、表示画面を有し、画像処理部で生成された表示画像を表示画面に表示する表示部と、を備えるものである。
【発明の効果】
【０００８】
本発明によれば、スプリットイメージ表示領域内に表示される被写体画像のずれを確認しやすい表示パターンを選ぶことができるので、被写体に対する撮影レンズの合焦状態を容易に確認できる。
【図面の簡単な説明】
【０００９】
【図１】デジタルカメラの外観を背面側から示す斜視図である。
【図２】デジタルカメラの正面図である。
【図３】デジタルカメラの背面図である。
【図４】デジタルカメラの平面図である。
【図５】デジタルカメラの底面図である。
【図６】デジタルカメラの左側面図である。
【図７】デジタルカメラの右側面図である。
【図８】デジタルカメラの要部構成を示すブロック図である。
【図９】撮像素子の画素配列の一例を示す説明図である。
【図１０】通常画素，第１，第２位相差画素の構造を示す断面図である。
【図１１Ａ】合焦していない状態での表示画面上の表示状態を示す説明図である。
【図１１Ｂ】合焦状態での表示画面上の表示状態を示す説明図である。
【図１２】デジタルカメラの姿勢を９０°回転させたときの表示画面の表示状態を示す背面図である。
【図１３Ａ】第２実施形態における合焦していない状態での表示画面上の表示状態を示す説明図である。
【図１３Ｂ】第２実施形態における合焦している状態での表示画面上の表示状態を示す説明図である。
【図１４Ａ】第３実施形態における合焦していない状態での表示画面上の表示状態を示す説明図である。
【図１４Ｂ】第３実施形態における合焦している状態での表示画面上の表示状態を示す説明図である。
【図１５Ａ】第４実施形態における合焦していない状態での表示画面上の表示状態を示す説明図である。
【図１５Ｂ】第４実施形態における合焦している状態での表示画面上の表示状態を示す説明図である。
【図１６Ａ】第５実施形態における合焦していない状態での表示画面上の表示状態を示す説明図である。
【図１６Ｂ】第５実施形態における合焦している状態での表示画面上の表示状態を示す説明図である。
【図１７Ａ】第６実施形態における合焦していない状態での表示画面上の表示状態を示す説明図である。
【図１７Ｂ】第６実施形態における合焦している状態での表示画面上の表示状態を示す説明図である。
【図１８Ａ】第７実施形態における合焦していない状態での表示画面上の表示状態を示す説明図である。
【図１８Ｂ】第７実施形態における合焦している状態での表示画面上の表示状態を示す説明図である。
【図１９Ａ】第８実施形態における合焦していない状態での表示画面上の表示状態を示す説明図である。
【図１９Ｂ】第８実施形態における合焦している状態での表示画面上の表示状態を示す説明図である。
【図２０Ａ】第９実施形態における合焦していない状態での表示画面上の表示状態を示す説明図である。
【図２０Ｂ】第９実施形態における合焦している状態での表示画面上の表示状態を示す説明図である。
【図２１Ａ】第１０実施形態における合焦していない状態での表示画面上の表示状態を示す説明図である。
【図２１Ｂ】第１０実施形態における合焦している状態での表示画面上の表示状態を示す説明図である。
【図２２Ａ】第１１実施形態における合焦していない状態での表示画面上の表示状態を示す説明図である。
【図２２Ｂ】第１１実施形態における合焦している状態での表示画面上の表示状態を示す説明図である。
【図２３Ａ】第１２実施形態における合焦していない状態での表示画面上の表示状態を示す説明図である。
【図２３Ｂ】第１２実施形態における合焦している状態での表示画面上の表示状態を示す説明図である。
【図２４】第１２実施形態における情報表示部を上部に表示した表示画面の状態を示す説明図である。
【図２５】第１２実施形態における情報表示部を左端に表示した表示画面の状態を示す説明図である。
【図２６】第１２実施形態における情報表示部を右端に表示した表示画面の状態を示す説明図である。
【図２７Ａ】第１３実施形態における合焦していない状態での表示画面上の表示状態を示す説明図である。
【図２７Ｂ】第１３実施形態における合焦している状態での表示画面上の表示状態を示す説明図である。
【図２８】第１３実施形態における情報表示部を右上に表示した表示画面の状態を示す説明図である。
【図２９】第１３実施形態における情報表示部を左下に表示した表示画面の状態を示す説明図である。
【図３０】第１３実施形態における情報表示部を右下に表示した表示画面の状態を示す説明図である。
【図３１Ａ】第１４実施形態における合焦していない状態での表示画面上の表示状態を示す説明図である。
【図３１Ｂ】第１４実施形態における合焦している状態での表示画面上の表示状態を示す説明図である。
【図３２Ａ】第１５実施形態における合焦していない状態での表示画面上の表示状態を示す説明図である。
【図３２Ｂ】第１５実施形態における合焦している状態での表示画面上の表示状態を示す説明図である。
【図３３Ａ】第１６実施形態における合焦していない状態での表示画面上の表示状態を示す説明図である。
【図３３Ｂ】第１６実施形態における合焦している状態での表示画面上の表示状態を示す説明図である。
【図３４Ａ】第１７実施形態における合焦していない状態での表示画面上の表示状態を示す説明図である。
【図３４Ｂ】第１７実施形態における合焦している状態での表示画面上の表示状態を示す説明図である。
【図３５Ａ】第１８実施形態における合焦していない状態での表示画面上の表示状態を示す説明図である。
【図３５Ｂ】第１８実施形態における合焦している状態での表示画面上の表示状態を示す説明図である。
【図３６Ａ】第１９実施形態における合焦していない状態での表示画面上の表示状態を示す説明図である。
【図３６Ｂ】第１９実施形態における合焦している状態での表示画面上の表示状態を示す説明図である。
【図３７Ａ】第２０実施形態における合焦していない状態での表示画面上の表示状態を示す説明図である。
【図３７Ｂ】第２０実施形態における合焦している状態での表示画面上の表示状態を示す説明図である。
【図３８Ａ】第２１実施形態における合焦していない状態での表示画面上の表示状態を示す説明図である。
【図３８Ｂ】第２１実施形態における合焦している状態での表示画面上の表示状態を示す説明図である。
【図３９Ａ】第２２実施形態における合焦していない状態での表示画面上の表示状態を示す説明図である。
【図３９Ｂ】第２２実施形態における合焦している状態での表示画面上の表示状態を示す説明図である。
【図４０Ａ】第２３実施形態における合焦していない状態での表示画面上の表示状態を示す説明図である。
【図４０Ｂ】第２３実施形態における合焦している状態での表示画面上の表示状態を示す説明図である。
【図４１Ａ】第２４実施形態における合焦していない状態での表示画面上の表示状態を示す説明図である。
【図４１Ｂ】第２４実施形態における合焦している状態での表示画面上の表示状態を示す説明図である。
【図４２】第２５実施形態におけるスマートフォンの外観を正面側から示す斜視図である。
【図４３】第２５実施形態におけるスマートフォンの正面図である。
【図４４】第２５実施形態におけるスマートフォンの背面図である。
【図４５】第２５実施形態におけるスマートフォンの平面図である。
【図４６】第２５実施形態におけるスマートフォンの底面図である。
【図４７】第２５実施形態におけるスマートフォンの左側面図である。
【図４８】第２５実施形態におけるスマートフォンの右側面図である。
【図４９Ａ】第２５実施形態における合焦していない状態での表示画面上の表示状態を示す説明図である。
【図４９Ｂ】第２５実施形態における合焦している状態での表示画面上の表示状態を示す説明図である。
【図５０】スマートフォンの姿勢を９０°回転させたときの表示画面の表示状態を示す背面図である。
【図５１Ａ】第２６実施形態における合焦していない状態での表示画面上の表示状態を示す説明図である。
【図５１Ｂ】第２６実施形態における合焦している状態での表示画面上の表示状態を示す説明図である。
【図５２Ａ】第２７実施形態における合焦していない状態での表示画面上の表示状態を示す説明図である。
【図５２Ｂ】第２７実施形態における合焦している状態での表示画面上の表示状態を示す説明図である。
【図５３Ａ】第２８実施形態における合焦していない状態での表示画面上の表示状態を示す説明図である。
【図５３Ｂ】第２８実施形態における合焦している状態での表示画面上の表示状態を示す説明図である。
【図５４Ａ】第２９実施形態における合焦していない状態での表示画面上の表示状態を示す説明図である。
【図５４Ｂ】第２９実施形態における合焦している状態での表示画面上の表示状態を示す説明図である。
【図５５Ａ】第３０実施形態における合焦していない状態での表示画面上の表示状態を示す説明図である。
【図５５Ｂ】第３０実施形態における合焦している状態での表示画面上の表示状態を示す説明図である。
【図５６Ａ】第３１実施形態における合焦していない状態での表示画面上の表示状態を示す説明図である。
【図５６Ｂ】第３１実施形態における合焦している状態での表示画面上の表示状態を示す説明図である。
【図５７Ａ】第３２実施形態における合焦していない状態での表示画面上の表示状態を示す説明図である。
【図５７Ｂ】第３２実施形態における合焦している状態での表示画面上の表示状態を示す説明図である。
【図５８Ａ】第３３実施形態における合焦していない状態での表示画面上の表示状態を示す説明図である。
【図５８Ｂ】第３３実施形態における合焦している状態での表示画面上の表示状態を示す説明図である。
【図５９Ａ】第３４実施形態における合焦していない状態での表示画面上の表示状態を示す説明図である。
【図５９Ｂ】第３４実施形態における合焦している状態での表示画面上の表示状態を示す説明図である。
【図６０Ａ】第３５実施形態における合焦していない状態での表示画面上の表示状態を示す説明図である。
【図６０Ｂ】第３５実施形態における合焦している状態での表示画面上の表示状態を示す説明図である。
【図６１Ａ】第３６実施形態における合焦していない状態での表示画面上の表示状態を示す説明図である。
【図６１Ｂ】第３６実施形態における合焦している状態での表示画面上の表示状態を示す説明図である。
【図６２】第３６実施形態における情報表示部を上部に表示した表示画面の状態を示す説明図である。
【図６３】第３６実施形態における情報表示部を左端に表示した表示画面の状態を示す説明図である。
【図６４】第３６実施形態における情報表示部を右端に表示した表示画面の状態を示す説明図である。
【図６５Ａ】第３７実施形態における合焦していない状態での表示画面上の表示状態を示す説明図である。
【図６５Ｂ】第３７実施形態における合焦している状態での表示画面上の表示状態を示す説明図である。
【図６６】第３７実施形態における情報表示部を右上に表示した表示画面の状態を示す説明図である。
【図６７】第３７実施形態における情報表示部を左下に表示した表示画面の状態を示す説明図である。
【図６８】第３７実施形態における情報表示部を右下に表示した表示画面の状態を示す説明図である。
【図６９Ａ】第３８実施形態における合焦していない状態での表示画面上の表示状態を示す説明図である。
【図６９Ｂ】第３８実施形態における合焦している状態での表示画面上の表示状態を示す説明図である。
【図７０Ａ】第３９実施形態における合焦していない状態での表示画面上の表示状態を示す説明図である。
【図７０Ｂ】第３９実施形態における合焦している状態での表示画面上の表示状態を示す説明図である。
【図７１Ａ】第４０実施形態における合焦していない状態での表示画面上の表示状態を示す説明図である。
【図７１Ｂ】第４０実施形態における合焦している状態での表示画面上の表示状態を示す説明図である。
【図７２Ａ】第４１実施形態における合焦していない状態での表示画面上の表示状態を示す説明図である。
【図７２Ｂ】第４１実施形態における合焦している状態での表示画面上の表示状態を示す説明図である。
【図７３Ａ】第４２実施形態における合焦していない状態での表示画面上の表示状態を示す説明図である。
【図７３Ｂ】第４２実施形態における合焦している状態での表示画面上の表示状態を示す説明図である。
【図７４】第４３実施形態におけるデジタルカメラの要部構成を示すブロック図である。
【発明を実施するための形態】
【００１０】
［第１実施形態］
図１ないし図７において、撮像装置としてのデジタルカメラ２は、マニュアルフォーカス時にスプリットイメージを生成して表示するものである。デジタルカメラ２のボディ３の前面に撮影レンズ４が設けられている。撮影レンズ４は、その鏡筒の外周にフォーカスリング（ピント調節リング）６を回転自在に設けてある。このフォーカスリング６の回転操作により、撮影レンズ４のピントを調節する。
【００１１】
ボディ３の上面にはシャッタボタン８が設けられ、背面には上部ダイアル９や背面ダイアル１０を含む各種操作部材が設けられている。シャッタボタン８の押圧操作により、撮像素子１２（図８参照）による撮影レンズ４を通した撮影が行われ、撮影画像がメモリカード１３（図８参照）に記録される。ボディ３の底面に、メモリカード１３が装填されるカードスロット（図示省略）と、このカードスロットの開口を開閉する装填蓋１４とが設けられている。
【００１２】
上部ダイアル９，背面ダイアル１０は、各種機能を設定により割り当てることができる。割り当てることができる機能の１つとして、ピントを調節機能がある。例えば、上部ダイアル９にピントの調節機能を割り当てた場合、上部ダイアル９の回転操作によって撮影レンズ４のピントの調節することができる。背面ダイアル１０についても、同様である。
【００１３】
また、ボディ３の背面には、表示部としてのモニタ１５を設けてある。モニタ１５は、撮影モード下では、電子ビューファインダとして機能し、その表示画面１５ａにライブビュー表示を行う。ライブビュー表示は、撮影中の被写体画像（以下、表示される被写体画像を表示画像という）Ｄ１（図１１Ａ参照）を表示画面１５ａに連続的に表示するものである。また、表示画面１５ａの中央付近に、ライブビュー表示の際に被写体画像のスプリットイメージが表示される矩形形状のスプリットイメージ表示領域１８がある。
【００１４】
スプリットイメージ表示領域１８は、上下に４分割された上から順に第１〜第４サブ表示領域１８ａ〜１８ｄから構成され、それぞれのサブ表示領域１８ａ〜１８ｄには、それらの境界を挟んで上下に異なる位相を有する被写体画像が表示される。すなわち、第１〜第４サブ表示領域１８ａ〜１８ｄ内には、スプリットイメージを構成する各被写体画像（以下、第１〜第４位相差画像という）Ｐ１〜Ｐ４（図１１Ａ参照）が表示される。第１〜第４位相差画像Ｐ１〜Ｐ４は、撮影レンズ４のピントのずれに応じて相互にずれて表示される。第１〜第４位相差画像Ｐ１〜Ｐ４は、撮影レンズ４のピントが被写体に合致しているときにはずれがない。
【００１５】
第１〜第４位相差画像がずれる方向は、スプリットイメージ表示領域１８を分割した方向（サブ表示領域が並ぶ方向）と直交する方向であり、この例では左右方向である。第１位相差画像Ｐ１と第３位相差画像Ｐ３とが同じ方向にずれて表示され、また第２位相差画像Ｐ２と第４位相差画像Ｐ４とが同じ方向にずれて表示される。第１，第３位相差画像Ｐ１，Ｐ３と第２，第４位相差画像Ｐ２，Ｐ４は、互いに相反する方向にずれる。
【００１６】
撮影者は、第１〜第４位相差画像Ｐ１〜Ｐ４の相互のずれを見ることで被写体に対する撮影レンズ４のピントのずれを確認することができる。第１〜第４位相差画像Ｐ１〜Ｐ４は、白黒（グレースケール）で表示され、その外側の画像は、カラーで表示される。
【００１７】
図８において、制御部２０は、シャッタボタン８，操作部２１からの操作信号に基づいて、デジタルカメラ２の各部を統括的に制御する。操作部２１は、上部ダイアル９や背面ダイアル１０などの各種操作部材やスイッチなどで構成されている。撮影レンズ４は、光軸方向に移動自在なフォーカスレンズ４ａを有している。レンズ移動機２２は、フォーカスリング６の回転に応答して、フォーカスレンズ４ａを光軸に沿って前後移動する。これにより、フォーカスリング６の回転操作で撮影レンズ４のピント位置が調節される。また、上部ダイアル９，背面ダイアル１０にピントを調節機能を割り当てているときには、上部ダイアル９または背面ダイアル１０が回転操作されると、制御部２０によりレンズ移動機２２内のモータが駆動されてフォーカスレンズ４ａが光軸に沿って前後移動される。
【００１８】
撮影レンズ４の背後に、撮像素子１２が配されており、撮影レンズ４を透過した被写体光が撮像素子１２の撮像面１２ａに入射する。撮像面１２ａには、通常画素２３，第１位相差画素２４ａ，第２位相差画素２４ｂ（図９参照）が所定のパターンでマトリクス状に配列され、画像の各部を光電変換して出力する。なお、撮像素子１２としては、ＣＣＤ型、ＣＭＯＳ型などの各種のものを用いることができる。撮像素子１２は、制御部２０からの駆動信号によって作動する。
【００１９】
画像処理部２５は、同時化処理、階調変換、ホワイトバランス補正、γ補正処理などの各種画像処理を施す。画像処理部２５は、撮像素子１２から出力される各通常画素２３の画素値に基づいて、被写体画像を生成する。以下、通常画素２３に基づいて生成される被写体画像を通常画像という。通常画像は、同時化処理によって全ての画素が３色の画素値を有したカラー画像である。
【００２０】
また、画像処理部２５は、ライブビュー表示を行う場合には、撮像面１２ａのスプリットイメージ表示領域１８に対応する領域にある各第１位相差画素２４ａ，各第２位相差画素２４ｂの画素値に基づいて、第１〜第４位相差画像Ｐ１〜Ｐ４を生成し、これら第１〜第４位相差画像Ｐ１〜Ｐ４を上下方向に順番に配したスプリットイメージを通常画像に合成することによって表示画像Ｄ１を生成する。第１〜第４位相差画像Ｐ１〜Ｐ４は、緑色の光を受光する第１，第２位相差画素２４ａ，２４ｂの画素値から輝度値を得て、この輝度値に基づいて白黒（グレースケール）の画像として生成される。また、表示画像Ｄ１を生成する場合には、通常画像に対して間引き処理を施すことによって、通常画像の解像度を第１〜第４位相差画像Ｐ１〜Ｐ４の解像度と同じにしている。
【００２１】
第１位相差画像Ｐ１は、第１サブ表示領域１８ａに対応する撮像面１２ａの領域内にある各第１位相差画素２４ａの画素値により生成される。第２位相差画像Ｐ２は、第２サブ表示領域１８ｂに対応する撮像面１２ａの領域内にある各第２位相差画素２４ｂの画素値により生成される。同様にして、第３位相差画像Ｐ３は、第３サブ表示領域１８ｃに対応する撮像面１２ａの領域内にある各第１位相差画素２４ａの画素値から、第４位相差画像Ｐ４は、第４サブ表示領域１８ｄに対応する撮像面１２ａの領域内にある各第２位相差画素２４ｂの画素値からそれぞれ生成される。
【００２２】
圧縮伸長処理回路２６は、シャッタボタン８の押圧操作に応答して生成される通常画像に対して圧縮処理を施す。また、圧縮伸長処理回路２６は、メディアＩ／Ｆ２７を介してメモリカード１３から読み出された圧縮画像に対して伸長処理を施す。メディアＩ／Ｆ２７は、メモリカード１３に対する画像の記録及び読み出しなどを行う。
【００２３】
表示駆動部２８は、モニタ１５を駆動し、撮影モード下では、画像処理部２５からの表示画像Ｄ１を表示画面１５ａに表示させる。また、表示駆動部２８は、再生モード時には圧縮伸長処理回路２６で伸長された通常画像を表示画面１５ａに表示させる。
【００２４】
制御部２０には、姿勢センサ２９が接続されている。姿勢センサは、例えば加速度センサなどで構成され、デジタルカメラ２の姿勢が、表示画面１５ａを横長にした横位置と、表示画面１５ａを縦長にした縦位置とのいずれであるかを検出する。
【００２５】
図９に示すように、撮像面１２ａには、通常画素２３が多数設けられている。この通常画素２３は、被写体からの光束を瞳分割することなく受光する画素である。通常画素２３は、赤（Ｒ）色のＲ画素と、緑（Ｇ）色のＧ画素と、青（Ｂ）色のＢ画素のいずれかであり、これらは所定のパターンで配列されている。なお、図９では、Ｒ画素，Ｇ画素，Ｂ画素に「Ｒ」，「Ｇ」，「Ｂ」を付してある。
【００２６】
また、撮像面１２ａには、一部のＧ画素の代わりに、第１位相差画素２４ａ（図中「Ｇ１」）、第２位相差画素２４ｂ（図中「Ｇ２」）を所定のパターンで配してある。この例においては、第１位相差画素２４ａと第２位相差画素２４ｂは、水平及び垂直方向にそれぞれ所定の間隔をあけて交互に設けられている。なお、スプリットイメージ表示領域１８に対応する領域にだけに第１，第２位相差画素２４ａ，２４ｂを所定のパターンで配してもよい。
【００２７】
図１０において、各画素２３，２４ａ，２４ｂは、半導体基板３１に形成されたフォトダイオード３２を有している。フォトダイオード３２は、入射した光をその受光量に応じた信号電荷に変換して蓄積する光電変換部である。半導体基板３１の表面に透明な絶縁膜３３が形成され、その上に遮光膜３４が形成されている。遮光膜３４には、通常画素２３のフォトダイオード３２上に通常開口３４ａが形成されている。通常開口３４ａは、フォトダイオード３２と同じ矩形状であるが、サイズがフォトダイオード３２よりも小さく、その中心がフォトダイオード３２の中心と一致した位置に設けられている。
【００２８】
また、遮光膜３４には、第１位相差画素２４ａのフォトダイオード３２上に第１偏心開口３４ｂが、また第２位相差画素２４ｂのフォトダイオード３２上に第２偏心開口３４ｃがそれぞれ形成されている。第１位相差画素２４ａの第１偏心開口３４ｂは、フォトダイオード３２の中心に対して右方向に、また第２位相差画素２４ｂの第２偏心開口３４ｃは、フォトダイオード３２の中心に対して左方向にずれた位置に形成されている。
【００２９】
なお、各偏心開口３４ｂ，３４ｃの偏心方向は、スプリットイメージ表示領域１８の分割方向に直交する方向である。これは、スプリットイメージ表示領域１８の分割方向に直交する方向に第１〜第４位相差画像Ｐ１〜Ｐ４をずらして表示するためである。
【００３０】
遮光膜３４よりも上層に３原色のいずれかのカラーフィルタ３６が設けられ、さらにその上に画素ごとのマイクロレンズ３７を設けてある。カラーフィルタ３６は、対応する画素の色の光を透過するものである。第１位相差画素２４ａ，第２位相差画素２４ｂには、緑色の光を透過するカラーフィルタ３６が設けられている。
【００３１】
上記のような構成により、第１位相差画素２４ａは、撮影レンズ４の射出瞳を分割した左側部分からの光束３８Ｌだけを受光し、第２位相差画素２４ｂは、右側部分からの光束３８Ｒだけを受光する。一方、通常画素２３は、撮影レンズ４からの光束を瞳分割することなく受光する
【００３２】
図１１Ａに示すように、表示画面１５ａに表示される表示画像Ｄ１では、スプリットイメージ表示領域１８の周囲に通常画像が表示され、スプリットイメージ表示領域１８内にスプリットイメージが表示される。すなわち、第１〜第４サブ表示領域１８ａ〜１８ｄに第１〜第４位相差画像Ｐ１〜Ｐ４が表示される。被写体に撮影レンズ４のピント位置が合致していない場合、通常画素の画素値から生成される周囲の通常画像部分に対して、第１位相差画素２４ａの画素値によって生成される第１，第３位相差画像Ｐ１，Ｐ３は、例えば左方向にずれた状態で表示され、第２位相差画素２４ｂの画素値によって生成される第２，第４位相差画像Ｐ２，Ｐ４は、右方向にずれた状態に表示される。
【００３３】
上述のように、第１位相差画素２４ａは、撮影レンズ４の射出瞳の左側領域からの光束を受光し、第２位相差画素２４ｂは、射出瞳の右側領域からの光束を受光する。このため、スプリットイメージ表示領域１８内の被写体に撮影レンズ４のピント位置が合致していない場合（非合焦状態）では、第１位相差画素２４ａ上に生成される像と、第２位相差画素２４ｂ上に生成される像との間には、左右方向にずれ（位相差）が生じ、各像は、通常画素２３上に生成される像ともずれる。したがって、被写体に撮影レンズ４のピント位置が合致していない場合、上述のように通常画素２３の画素値から生成される周囲の通常画像部分に対して、第１位相差画素２４ａの画素値によって生成される第１，第３位相差画像Ｐ１，Ｐ３は、例えば左方向にずれた状態で表示され、第２位相差画素２４ｂの画素値によって生成される第２，第４位相差画像Ｐ２，Ｐ４は、右方向にずれた状態に表示される。
【００３４】
第１，第３位相差画像Ｐ１，Ｐ３と第２，第４位相差画像Ｐ２，Ｐ４とのずれ方向は相反する方向であるが、前ピンと後ピンによって逆になる。また、第１〜第４位相差画像Ｐ１〜Ｐ４のずれ量は、ピントのずれ量に応じたものとなる。
【００３５】
被写体に撮影レンズ４のピント位置が合致した場合（合焦状態）では、第１位相差画素２４ａ上に生成される像と、第２位相差画素２４ｂ上に生成される像との間には、左右方向にずれは生じない。また、通常画素２３上に生成される像ともずれがなくなる。したがって、この場合には、第１〜第４位相差画像Ｐ１〜Ｐ４は、図１１Ｂに示すように、それら相互の間、及び周囲の通常画像に対してずれがない状態で表示される。
【００３６】
スプリットイメージ表示領域１８の輪郭は、スプリットイメージ表示領域１８内外の各画像の生成に使用する位相差画素と通常画素の違いが表示状態の違いとして表われることで境界として見えるものである。各位相差画素２４ａ，２４ｂから生成されるスプリットイメージ表示領域１８内の第１〜第４位相差画像Ｐ１〜Ｐ４は、非合焦状態で第１〜第４位相差画像Ｐ１〜Ｐ４が通常画素２３から生成される周囲の通常画像に対して左右にずれて表示され、またカラー画像である周囲の通常画像に対して第１〜第４位相差画像Ｐ１〜Ｐ４がグレースケールで表示されるので、スプリットイメージ表示領域１８の周囲に境界が見える。
【００３７】
同様に、第１〜第４サブ表示領域１８ａ〜１８ｄの相互の境界は、第１位相差画素２４ａと第２位相差画素２４ｂとの違いが表示状態として表われることで見えるものである。第１位相差画素２４ａと第２位相差画素２４ｂは、上述のようにそれらの上に生成される各像にずれが生じるので、それにより生成される隣接した各位相差画像間にもずれがあるため、各サブ表示領域１８ａ〜１８ｄの相互の境界が見える。このため、各サブ表示領域１８ａ〜１８ｄの相互の境界は、第１位相差画素２４ａと第２位相差画素２４ｂの上に生成される各像のずれが小さくなるにしたがって境界が見えなっていく。
【００３８】
スプリットイメージ表示領域１８とその外側の通常画像との境界線を表示し、また各サブ表示領域１８ａ〜１８ｄの相互の境界線を表示してもよい。この場合、各サブ表示領域１８ａ〜１８ｄの相互の境界線については、位相差画像のずれが小さくなるほど表示の濃度を薄めていき、すれが無い状態で境界線が消えるようにしてもよい。さらに、第１位相差画素２４ａから生成された第１，第３位相差画像Ｐ１，Ｐ３と第2位相差画素２４ｂから生成された第２，第４位相差画像Ｐ２，Ｐ４とでずれ方向に互いに逆方向の濃度グラデーションをつけても良い。それにより非合焦状態の視認性が向上する。
【００３９】
なお、第１，第２位相差画素２４ａ，２４ｂの周囲の通常画素２３から生成される色情報を第１〜第４位相差画像Ｐ１〜Ｐ４の各画素に与えることによって、第１〜第４位相差画像Ｐ１〜Ｐ４をカラー画像としてもよい。この場合には、スプリットイメージ表示領域１８と通常画像の領域との境界を視認し易いように境界線を表示しても良い。
【００４０】
次に上記構成の作用について説明する。撮影モードにすると、ライブビュー表示が開始される。被写体からの光が撮影レンズ４を通して撮像面１２ａに入射し、通常画素２３，第１位相差画素２４ａ，第２位相差画素２４ｂによって光電変換されて信号電荷として蓄積する。そして、これらの信号電荷が連続して読み出されることによって、１画面分の画像信号が画像処理部２５に出力される。この画像処理部２５によって、画像信号に含まれる通常画素２３の画素値から通常画像が生成される。また、スプリットイメージ表示領域１８に対応する撮像面１２ａの領域内にある第１位相差画素２４ａの画素値から第１，第３位相差画像Ｐ１，Ｐ３が生成され、第２位相差画素２４ｂの画素値から第２，第４位相差画像Ｐ２，Ｐ４が生成される。そして、第１〜第４位相差画像Ｐ１〜Ｐ４を上下に並べたスプリットイメージを通常画像に合成して表示画像Ｄ１が生成される。このようにして生成される表示画像Ｄ１が表示駆動部２８を介してモニタ１５に送られる。
【００４１】
１画面分の撮影ごとに、上記のように撮像素子１２から出力される画像信号に基づいて画像処理部２５によって表示画像Ｄ１が生成され、それが表示駆動部２８を介してモニタ１５に送られる。これにより、表示画面１５ａに表示される表示画像Ｄ１が更新されて、ライブビュー表示が行われる。
【００４２】
表示画像Ｄ１中のスプリットイメージ表示領域１８内で、例えば、図１１Ａに示されるように、第１，第３位相差画像Ｐ１，Ｐ３と、第２，第４位相差画像Ｐ２，Ｐ４とがずれている場合には、撮影者はフォーカスリング６を回転操作してピントを調節する。フォーカスリング６の調節により、ピント位置が変化すると、第１位相差画素２４ａ上に生成される像と第２位相差画素２４ｂ上に生成される像のずれが変化する。このため、第１，第３位相差画像Ｐ１，Ｐ３と、第２，第４位相差画像Ｐ２，Ｐ４とのずれが大きく、あるいは小さくなる。
【００４３】
ピントのずれが小さくなると第１，第３位相差画像Ｐ１，Ｐ３と第２，第４位相差画像Ｐ２，Ｐ４とのずれが小さくなるから、撮影者は、ずれが小さくなる方向にフォーカスリング６を回転操作して、図１１Ｂに示されるように、第１，第３位相差画像Ｐ１，Ｐ３と、第２，第４位相差画像Ｐ２，Ｐ４とのずれをなくす。このようにして、第１，第３位相差画像Ｐ１，Ｐ３と、第２，第４位相差画像Ｐ２，Ｐ４とにずれがない状態になると、撮影レンズ４のピントが被写体に合致した状態になる。そして、このときには隣接するサブ表示領域同士の境界が見えなくなる。
【００４４】
上記のようにして、ピントを調節した後にシャッタボタン８を押圧操作して、静止画の撮影を行う。シャッタボタン８が押圧されると、露出を調節した後、撮像素子１２によって撮影が行われ、この後に撮像素子１２から出力される画像信号から画像処理部２５によって通常画像が生成される。そして、この通常画像が、圧縮伸長処理回路２６で圧縮処理されてから、メディアＩ／Ｆ２７を介してメモリカード１３に記録される。
【００４５】
上記第１実施形態では、第１，第２位相差画素の画素値から直接に第１〜第４位相差画像Ｐ１〜Ｐ４を生成しているが、第１，第２位相差画素の画素値から撮影レンズのピントのずれ量、及びずれ方向を検出し、そのずれ量、及びずれ方向に基づいてずらした第１〜第４位相差画像Ｐ１〜Ｐ４を通常画素の画素値から生成してもよい。この場合には、各位相差画素の偏心開口の偏心方向を、スプリットイメージ表示領域の分割方向に直交する方向とする必要はない。
【００４６】
図１２に示す例は、表示画面１５ａが縦長な状態となるようにデジタルカメラ２の姿勢を９０°回転させたとき、すなわち縦位置としたときに、スプリットイメージ表示領域１８をデジタルカメラ２とは逆方向に９０°回転した姿勢として、スプリットイメージ表示領域１８の分割方向を上下方向に維持するものである。制御部２０に接続された姿勢センサ２９により、デジタルカメラ２の姿勢が表示画面１５ａを横長にした横位置から９０°回転させて表示画面１５ａを縦長にした縦位置にしたことが検出された場合、制御部２０は、縦位置の表示となるように画像処理部２５制御する。これにより、例えば、デジタルカメラ２の姿勢が横位置から縦位置になったことが検出されると、スプリットイメージ表示領域１８は、図１１Ａ，図１１Ｂの表示状態から、図１２に示すように、デジタルカメラ２とは逆方向に９０°回転した姿勢で表示される。
【００４７】
［第２実施形態］
第２実施形態は、スプリットイメージ表示領域の輪郭形状を楕円としたものである。この第２実施形態、及びこれ以降の各実施形態では、デジタルカメラの形状は、第１実施形態の正面、背面、各側面，平面、及び底面と同じである。また、各実施形態では、デジタルカメラの姿勢を９０°回転して、表示画面が縦長な状態となる縦位置にしたときは、図１２に示す例のようにスプリットイメージ表示領域を９０°回転し、スプリットイメージ表示領域の分割方向が変わらないように表示する。さらに、各実施形態では、スプリットイメージ表示領域内の表示状態は、第１実施形態と同様に描いてある。
【００４８】
図１３Ａに示すように、スプリットイメージ表示領域４１は、楕円形状である。スプリットイメージ表示領域４１は、上下方向に４分割されて第１〜第４サブ表示領域４１ａ〜４１ｄを有する。撮影レンズのピントが被写体に合致していない非合焦状態では、図１３Ａに示すように、第１〜第４サブ表示領域４１ａ〜４１ｄに表示されている各位相差画像が左右方向にずれて表示される。撮影レンズのピントが被写体に合致した合焦状態となると、図１３Ｂに示すように、スプリットイメージ表示領域４１内に表示されている各位相差画像のずれがなくなり、第１〜第４サブ表示領域４１ａ〜４１ｄの境界が見えなくなる。
【００４９】
［第３実施形態］
第３実施形態は、輪郭形状が矩形のスプリットイメージ表示領域を左右方向に４分割したものである。図１４Ａに示すように、スプリットイメージ表示領域４２は、矩形形状であり、左右方向に４分割されて第１〜第４サブ表示領域４２ａ〜４２ｄを有する。撮影レンズのピントが被写体に合致していない非合焦状態では、図１４Ａに示すように、各サブ表示領域４２ａ〜４２ｄ内の各位相差画像が上下方向にずれて表示される。撮影レンズのピントが被写体に合致した合焦状態となると、図１４Ｂに示すように、スプリットイメージ表示領域４２内に表示されている各位相差画像のずれがなくなり、第１〜第４サブ表示領域４２ａ〜４２ｄの境界が見えなくなる。
【００５０】
［第４実施形態］
第４実施形態は、輪郭形状が楕円のスプリットイメージ表示領域を左右方向に４分割したものである。図１５Ａに示すように、スプリットイメージ表示領域４３は、楕円形状であり、左右方向に４分割されて第１〜第４サブ表示領域４３ａ〜４３ｄを有する。撮影レンズのピントが被写体に合致していない非合焦状態では、図１５Ａに示すように、各サブ表示領域４３ａ〜４３ｄ内の各位相差画像が上下方向にずれて表示される。撮影レンズのピントが被写体に合致した合焦状態となると、図１５Ｂに示すように、スプリットイメージ表示領域４３内に表示されている各位相差画像のずれがなくなり、第１〜第４サブ表示領域４３ａ〜４３ｄの境界が見えなくなる。
【００５１】
［第５実施形態］
第５実施形態は、輪郭形状が矩形のスプリットイメージ表示領域を上下方向に８分割したものである。図１６Ａに示すように、スプリットイメージ表示領域４４は、矩形形状であり、上下方向に８分割されて第１〜第８サブ表示領域４４ａ〜４４ｈを有する。撮影レンズのピントが被写体に合致していない非合焦状態では、図１６Ａに示すように、各サブ表示領域４４ａ〜４４ｈ内の各位相差画像が左右方向にずれて表示される。撮影レンズのピントが被写体に合致した合焦状態となると、図１６Ｂに示すように、スプリットイメージ表示領域４４内に表示されている各位相差画像のずれがなくなり、第１〜第４サブ表示領域４４ａ〜４４ｈの境界が見えなくなる。
【００５２】
［第６実施形態］
第６実施形態は、輪郭形状が矩形のスプリットイメージ表示領域を斜め方向に４分割したものである。図１７Ａに示すように、スプリットイメージ表示領域４５は、矩形形状であり、斜め方向に４分割されて第１〜第４サブ表示領域４５ａ〜４５ｄを有する。撮影レンズのピントが被写体に合致していない非合焦状態では、図１７Ａに示すように、各サブ表示領域４５ａ〜４５ｄ内の各位相差画像がスプリットイメージ表示領域４５の分割方向に直交する方向にずれて表示される。撮影レンズのピントが被写体に合致した合焦状態となると、図１７Ｂに示すように、スプリットイメージ表示領域４５内に表示されている各位相差画像のずれがなくなり、第１〜第４サブ表示領域４５ａ〜４５ｄの境界が見えなくなる。
【００５３】
［第７実施形態］
第７実施形態は、輪郭形状が楕円のスプリットイメージ表示領域を斜め方向に４分割したものである。図１８Ａに示すように、スプリットイメージ表示領域４６は、楕円形状である楕円形状であり、斜め方向に４分割されて第１〜第４サブ表示領域４６ａ〜４６ｄを有する。撮影レンズのピントが被写体に合致していない非合焦状態では、図１８Ａに示すように、各サブ表示領域４６ａ〜４６ｄ内の各位相差画像がスプリットイメージ表示領域４６の分割方向と直交する方向にずれて表示される。撮影レンズのピントが被写体に合致した合焦状態となると、図１８Ｂに示すように、スプリットイメージ表示領域４６内に表示されている各位相差画像のずれがなくなり、第１〜第４サブ表示領域４６ａ〜４６ｄの境界が見えなくなる。
【００５４】
［第８実施形態］
第８実施形態は、輪郭形状が矩形のスプリットイメージ表示領域を斜め方向に２分割したものである。図１９Ａに示すように、スプリットイメージ表示領域４７は、矩形形状であり、斜め方向に２分割されて第１，第２サブ表示領域４７ａ，４７ｂを有する。撮影レンズのピントが被写体に合致していない非合焦状態では、図１９Ａに示すように、各サブ表示領域４７ａ，４７ｂ内の各位相差画像がスプリットイメージ表示領域４７の分割方向と直交する方向にずれて表示される。撮影レンズのピントが被写体に合致した合焦状態となると、図１９Ｂに示すように、スプリットイメージ表示領域４７内に表示されている各位相差画像のずれがなくなり、第１，第２サブ表示領域４７ａ，４７ｂの境界が見えなくなる。
【００５５】
［第９実施形態］
第９実施形態は、輪郭形状が楕円のスプリットイメージ表示領域を斜め方向に２分割したものである。図２０Ａに示すように、スプリットイメージ表示領域４８は、楕円形状であり、斜め方向に２分割されて第１，第２サブ表示領域４８ａ，４８ｂを有する。撮影レンズのピントが被写体に合致していない非合焦状態では、図２０Ａに示すように、各サブ表示領域４８ａ，４８ｂ内の各位相差画像がスプリットイメージ表示領域４８の分割方向と直交する方向にずれて表示される。撮影レンズのピントが被写体に合致した合焦状態となると、図２０Ｂに示すように、スプリットイメージ表示領域４８内に表示されている各位相差画像のずれがなくなり、第１，第２サブ表示領域４８ａ，４８ｂの境界が見えなくなる。
【００５６】
［第１０実施形態］
第１０実施形態は、輪郭形状が真円のスプリットイメージ表示領域を上下方向に４分割したものである。図２１Ａに示すように、スプリットイメージ表示領域４９は、真円形状であり、上下方向に４分割されて第１〜第４サブ表示領域４９ａ〜４９ｄを有する。撮影レンズのピントが被写体に合致していない非合焦状態では、図２１Ａに示すように、各サブ表示領域４９ａ〜４９ｄ内の各位相差画像が左右方向にずれて表示される。撮影レンズのピントが被写体に合致した合焦状態となると、図２１Ｂに示すように、スプリットイメージ表示領域４９内に表示されている各位相差画像のずれがなくなり、第１〜第４サブ表示領域４９ａ〜４９ｄの境界が見えなくなる。
【００５７】
［第１１実施形態］
第１１実施形態は、輪郭形状が真円のスプリットイメージ表示領域を左右方向に４分割したものである。図２２Ａに示すように、スプリットイメージ表示領域５０は、真円形状であり、左右方向に４分割されて第１〜第４サブ表示領域５０ａ〜５０ｄを有する。撮影レンズのピントが被写体に合致していない非合焦状態では、図２２Ａに示すように、各サブ表示領域５０ａ〜５０ｄ内の各位相差画像が上下方向にずれて表示される。撮影レンズのピントが被写体に合致した合焦状態となると、図２２Ｂに示すように、スプリットイメージ表示領域５０内に表示されている各位相差画像のずれがなくなり、第１〜第４サブ表示領域５０ａ〜５０ｄの境界が見えなくなる。
【００５８】
［第１２実施形態］
第１２実施形態は、スプリットイメージ表示領域の輪郭形状を矩形とするとともに、情報表示部を表示するものである。図２３Ａに示すように、表示画面１５ａには、スプリットイメージ表示領域５１内にスプリットイメージが表示されるとともに、情報表示部５２とが表示される。情報表示部５２は、表示画面１５ａの下部に表示され、デジタルカメラに設定されている露出モード（絞り優先ＡＥ，シャッタ速度優先ＡＥ、プログラムなど）や測光モード、電池残量を示す記号、設定されているシャッタ速度、絞り値、撮影感度などが表示される。なお、この情報表示部５２に、第１，第２位相差画素上に形成される像のずれ（位相差）に相当する値を表示してもよい。ずれに相当する値としては、そのずれ量を示す画素数や、撮影レンズのピントが合致している距離と被写体距離との差などがある。
【００５９】
スプリットイメージ表示領域５１は、矩形形状であり、上下方向に４分割されて第１〜第４サブ表示領域５１ａ〜５１ｄを有する。撮影レンズのピントが被写体に合致していない非合焦状態では、図２３Ａに示すように、各サブ表示領域５１ａ〜５１ｄ内の各位相差画像が左右方向にずれて表示される。撮影レンズのピントが被写体に合致した合焦状態となると、図２３Ｂに示すように、スプリットイメージ表示領域５１内に表示されている各位相差画像のずれがなくなり、第１〜第４サブ表示領域５１ａ〜５１ｄの境界が見えなくなる。
【００６０】
図２４に示す変形例は、情報表示部５２に代えて、表示画面１５ａの上部に情報表示部５３を表示したものである。また、図２５に示す変形例は、表示画面１５ａの左端に情報表示部５４を表示したものである。さらに、図２６に示す変形例は、表示画面１５ａの右端に情報表示部５６を表示したものである。なお、図２４〜図２６の各変形例におけるスプリットイメージ表示領域の表示は、図２３Ａ，図２３Ｂに示すものと同様である。
【００６１】
なお、スプリットイメージ表示領域の輪郭形状は、矩形に限られず、例えば真円や楕円であってもよい。また、スプリットイメージ表示領域の分割の方向，分割数についても、上記のものに限られず、左右方向や斜め方向に分割してもよく、２分割、３分割、あるいは５分割以上であってもよい。
【００６２】
［第１３実施形態］
第１３実施形態は、スプリットイメージ表示領域の輪郭形状を矩形形状とするとともに小サイズの情報表示部を表示画面に表示したものである。図２７Ａに示すように、表示画面１５ａにスプリットイメージ表示領域５７と情報表示部５８とが表示される。情報表示部５８は、小サイズの矩形形状であり、表示画面１５ａの左上に表示される。情報表示部５８には、例えばデジタルカメラに設定されている露出モード（絞り優先ＡＥ，シャッタ速度優先ＡＥ、プログラムなど）を示す記号を表示する。なお、この情報表示部５８に、第１，第２位相差画素上に形成される像のずれ（位相差）に相当する値を表示してもよい。ずれに相当する値としては、そのずれ量を示す画素数や、撮影レンズのピントが合致している距離と被写体距離との差などがある。
【００６３】
スプリットイメージ表示領域５７は、矩形形状であり、上下方向に４分割されて第１〜第４サブ表示領域５７ａ〜５７ｄを有する。撮影レンズのピントが被写体に合致していない非合焦状態では、図２７Ａに示すように、各サブ表示領域５７ａ〜５７ｄ内の各位相差画像が左右方向にずれて表示される。撮影レンズのピントが被写体に合致した合焦状態となると、図２７Ｂに示すように、スプリットイメージ表示領域５７内に表示されている各位相差画像のずれがなくなり、第１〜第４サブ表示領域５７ａ〜５７ｄの境界が見えなくなる。
【００６４】
図２８に示す変形例は、情報表示部５８の表示位置を表示画面１５ａの右上としたものである。また、図２９に示す変形例は、情報表示部５８の表示位置を左下としたものである。さらに、図３０に示す変形例は、情報表示部５８の表示位置を右下としたものである。図２８〜図３０の各変形例におけるスプリットイメージ表示領域５７の表示は、図２７Ａ，図２７Ｂに示すものと同じである。
【００６５】
なお、スプリットイメージ表示領域の輪郭形状は、矩形に限られず、例えば円や楕円であってもよい。また、スプリットイメージ表示領域の分割を方向，分割数についても、上記のものに限られず、左右方向や斜め方向に分割してもよく、２分割、３分割、あるいは５分割以上であってもよい。
【００６６】
［第１４実施形態］
第１４実施形態は、表示画面上の情報表示部以外の領域をスプリットイメージ表示領域としたものである。図３１Ａに示すように、表示画面１５ａの下部に画面幅で情報表示部６１が表示される。情報表示部６１は、デジタルカメラに設定されている露出モード（絞り優先ＡＥ，シャッタ速度優先ＡＥ、プログラムなど）や測光モード、残存電気量（電池残量）を示す記号、設定されているシャッタ速度、絞り値、撮影感度などを表示する。なお、この情報表示部６１に、第１，第２位相差画素上に形成される像のずれ（位相差）に相当する値を表示してもよい。ずれに相当する値としては、そのずれ量を示す画素数や、撮影レンズのピントが合致している距離と被写体距離との差などがある。
【００６７】
表示画面１５ａ上の情報表示部６１を除く領域がスプリットイメージ表示領域６２になっている。したがって、表示画像Ｄ１の全てがスプリットイメージ表示領域６２内に表示される。スプリットイメージ表示領域６２は、上下方向に４分割されて第１〜第４サブ表示領域６２ａ〜６２ｄを有する。撮影レンズのピントが被写体に合致していない非合焦状態では、図３１Ａに示すように、各サブ表示領域６２ａ〜６２ｄ内の各位相差画像が左右方向にずれて表示される。撮影レンズのピントが被写体に合致した合焦状態となると、図３１Ｂに示すように、スプリットイメージ表示領域６２内に表示されている各位相差画像のずれがなくなり、第１〜第４サブ表示領域６２ａ〜６２ｄの境界が見えなくなる。
【００６８】
［第１５実施形態］
第１５実施形態は、輪郭形状が矩形のスプリットイメージ表示領域を上下方向に２分割したものである。図３２Ａに示すように、スプリットイメージ表示領域６３は、矩形形状であり、上下方向に２分割されて第１，第２サブ表示領域６３ａ，６３ｂを有する。撮影レンズのピントが被写体に合致していない非合焦状態では、図３２Ａに示すように、各サブ表示領域６３ａ，６３ｂ内の各位相差画像が左右方向にずれて表示される。撮影レンズのピントが被写体に合致した合焦状態となると、図３２Ｂに示すように、スプリットイメージ表示領域６３内に表示されている各位相差画像のずれがなくなり、第１，第２サブ表示領域６３ａ，６３ｂの境界が見えなくなる。
【００６９】
［第１６実施形態］
第１６実施形態は、輪郭形状が楕円のスプリットイメージ表示領域を上下方向に２分割したものである。図３３Ａに示すように、スプリットイメージ表示領域６４は、楕円形状であり、上下方向に２分割されて第１，第２サブ表示領域６４ａ，６４ｂを有する。撮影レンズのピントが被写体に合致していない非合焦状態では、図３３Ａに示すように、各サブ表示領域６４ａ，６４ｂ内の各位相差画像が左右方向にずれて表示される。撮影レンズのピントが被写体に合致した合焦状態となると、図３３Ｂに示すように、スプリットイメージ表示領域６４内に表示されている各位相差画像のずれがなくなり、第１，第２サブ表示領域６３ａ，６３ｂの境界が見えなくなる。
【００７０】
［第１７実施形態］
第１７実施形態は、表示画像の全面をスプリットイメージ表示領域とし上下方向に２分割したものである。図３４Ａに示すように、表示画像Ｄ１の全面がスプリットイメージ表示領域６５になっている。スプリットイメージ表示領域６５は、上下方向に２分割されて第１，第２サブ表示領域６５ａ，６５ｂを有している。撮影レンズのピントが被写体に合致していない非合焦状態では、図３４Ａに示すように、各サブ表示領域６５ａ，６５ｂ内の各位相差画像が左右方向にずれて表示される。撮影レンズのピントが被写体に合致した合焦状態となると、図３４Ｂに示すように、スプリットイメージ表示領域６５内に表示されている各位相差画像のずれがなくなり、第１，第２サブ表示領域６５ａ，６５ｂの境界が見えなくなる。
【００７１】
［第１８実施形態］
第１８実施形態は、表示画像の全面をスプリットイメージ表示領域とし上下方向に４分割したものである。図３５Ａに示すように、表示画像Ｄ１の全面がスプリットイメージ表示領域６６になっている。スプリットイメージ表示領域６６は、上下方向に４分割されて第１〜第４サブ表示領域６６ａ〜６６ｄを有している。撮影レンズのピントが被写体に合致していない非合焦状態では、図３５Ａに示すように、各サブ表示領域６６ａ〜６６ｄ内の各位相差画像が左右方向にずれて表示される。撮影レンズのピントが被写体に合致した合焦状態となると、図３５Ｂに示すように、スプリットイメージ表示領域６６内に表示されている各位相差画像のずれがなくなり、第１〜第４サブ表示領域６６ａ〜６６ｄの境界が見えなくなる。
【００７２】
［第１９実施形態］
第１９実施形態は、スプリットイメージ表示領域の輪郭形状を矩形とするとともに背部ダイアルを想起させるダイアルイメージを表示するものである。図３６Ａに示すように、表示画面１５ａには、スプリットイメージ表示領域６７内にスプリットイメージが表示されるとともに、ダイアルイメージ６８が表示される。ダイアルイメージ６８は、フォーカス用ダイアルが背部ダイアル１０（図１参照）であることを想起させるものであり、ピント調節機能が背部ダイアル１０に割り当ててあるときに表示画面１５ａの右端に表示される。背部ダイアル１０をまわすと、ダイアルイメージ６８が移動して合焦操作が行われていることが表示される。
【００７３】
スプリットイメージ表示領域６７は、矩形形状であり、上下方向に４分割されて第１〜第４サブ表示領域６７ａ〜６７ｄを有している。撮影レンズのピントが被写体に合致していない非合焦状態では、図３６Ａに示すように、各サブ表示領域６７ａ〜６７ｄ内の各位相差画像が左右方向にずれて表示される。撮影レンズのピントが被写体に合致した合焦状態となると、図３６Ｂに示すように、スプリットイメージ表示領域６７内に表示されている各位相差画像のずれがなくなり、第１〜第４サブ表示領域６７ａ〜６７ｄの境界が見えなくなる。
【００７４】
なお、スプリットイメージ表示領域の分割の方向，分割数は、上記のものに限られず、左右方向や斜め方向に分割してもよく、２分割、３分割、あるいは５分割以上であってもよい。
【００７５】
［第２０実施形態］
第２０実施形態は、スプリットイメージ表示領域の輪郭形状を矩形とするとともに、背部ダイアルを想起させる小サイズのダイアルイメージを表示するものである。図３７Ａに示すように、表示画面１５ａには、スプリットイメージ表示領域７１内にスプリットイメージが表示されるとともに、ダイアルイメージ７２が表示される。ダイアルイメージ７２は、フォーカス用ダイアルが背部ダイアル１０（図１参照）であることを想起させるものであり、ピント調節機能が背部ダイアル１０に割り当ててあるときに表示画面１５ａの右端に表示される。背部ダイアル１０をまわすと、ダイアルイメージ７２が移動して合焦操作が行われていることが表示される。
【００７６】
スプリットイメージ表示領域７１は、矩形形状であり、表示画面１５ａの中央に表示される。スプリットイメージ表示領域７１は、それを上下方向に４分割されて第１〜第４サブ表示領域７１ａ〜７１ｄを有している。撮影レンズのピントが被写体に合致していない非合焦状態では、図３７Ａに示すように、各サブ表示領域７１ａ〜７１ｄ内の各位相差画像が左右方向にずれて表示される。撮影レンズのピントが被写体に合致した合焦状態となると、図３７Ｂに示すように、スプリットイメージ表示領域７１内に表示されている各位相差画像のずれがなくなり、第１〜第４サブ表示領域７１ａ〜７１ｄの境界が見えなくなる。
【００７７】
なお、スプリットイメージ表示領域の分割の方向，分割数は、上記のものに限られず、左右方向や斜め方向に分割してもよく、２分割、３分割、あるいは５分割以上であってもよい。
【００７８】
［第２１実施形態］
第２１実施形態は、スプリットイメージ表示領域の輪郭形状を楕円とするとともに背部ダイアルを想起させるダイアルイメージを表示するものである。図３８Ａに示すように、表示画面１５ａには、スプリットイメージ表示領域７１内にスプリットイメージが表示されるとともに、ダイアルイメージ７４が表示される。ダイアルイメージ７４は、フォーカス用ダイアルが背部ダイアル１０（図１参照）であることを想起させるものであり、ピント調節機能が背部ダイアル１０に割り当ててあるときに表示画面１５ａの右端に表示される。背部ダイアル１０をまわすと、ダイアルイメージ７４が移動して合焦操作が行われていることが表示される。
【００７９】
スプリットイメージ表示領域７３は、楕円形状であり、上下方向に４分割されて第１〜第４サブ表示領域７３ａ〜７３ｄを有している。撮影レンズのピントが被写体に合致していない非合焦状態では、図３８Ａに示すように、各サブ表示領域７３ａ〜７３ｄ内の各位相差画像が左右方向にずれて表示される。撮影レンズのピントが被写体に合致した合焦状態となると、図３８Ｂに示すように、スプリットイメージ表示領域７３内に表示されている各位相差画像のずれがなくなり、第１〜第４サブ表示領域７３ａ〜７３ｄの境界が見えなくなる。
【００８０】
なお、スプリットイメージ表示領域の分割の方向，分割数は、上記のものに限られず、左右方向や斜め方向に分割してもよく、２分割、３分割、あるいは５分割以上であってもよい。
【００８１】
［第２２実施形態］
第２２実施形態は、スプリットイメージ表示領域の輪郭形状を楕円とするとともに背部ダイアルを想起させる小サイズのダイアルイメージを表示するものである。図３９Ａに示すように、表示画面１５ａには、スプリットイメージ表示領域７６内にスプリットイメージが表示されるとともに、ダイアルイメージ７６が表示される。ダイアルイメージ７６は、フォーカス用ダイアルが背部ダイアル１０（図１参照）であることを想起させるものであり、ピント調節機能が背部ダイアル１０に割り当ててあるときに表示画面１５ａの右端に表示される。背部ダイアル１０をまわすと、ダイアルイメージ７６が移動して合焦操作が行われていることが表示される。
【００８２】
スプリットイメージ表示領域７５は、楕円形状であり、上下方向に４分割されて第１〜第４サブ表示領域７５ａ〜７５ｄを有している。撮影レンズのピントが被写体に合致していない非合焦状態では、図３９Ａに示すように、各サブ表示領域７５ａ〜７５ｄ内の各位相差画像が左右方向にずれて表示される。撮影レンズのピントが被写体に合致した合焦状態となると、図３９Ｂに示すように、スプリットイメージ表示領域７５内に表示されている各位相差画像のずれがなくなり、第１〜第４サブ表示領域７５ａ〜７５ｄの境界が見えなくなる。
【００８３】
なお、スプリットイメージ表示領域の分割の方向，分割数は、上記のものに限られず、左右方向や斜め方向に分割してもよく、２分割、３分割、あるいは５分割以上であってもよい。
【００８４】
［第２３実施形態］
第２３実施形態は、スプリットイメージ表示領域の輪郭形状を矩形とするとともに上部ダイアルを想起させるダイアルイメージを表示するものである。図４０Ａに示すように、表示画面１５ａには、スプリットイメージ表示領域７７内にスプリットイメージが表示されるとともに、ダイアルイメージ７８が表示される。ダイアルイメージ７８は、フォーカス用ダイアルが上部ダイアル９（図１参照）であることを想起させるものであり、ピント調節機能が上部ダイアル９に割り当ててあるときに表示画面１５ａの下部に表示される。上部ダイアル９をまわすと、ダイアルイメージ７８が移動して合焦操作が行われていることが表示される。
【００８５】
スプリットイメージ表示領域７７は、矩形形状であり、上下方向に４分割されて第１〜第４サブ表示領域７７ａ〜７７ｄを有している。撮影レンズのピントが被写体に合致していない非合焦状態では、図４０Ａに示すように、各サブ表示領域７７ａ〜７７ｄ内の各位相差画像が左右方向にずれて表示される。撮影レンズのピントが被写体に合致した合焦状態となると、図４０Ｂに示すように、スプリットイメージ表示領域７７内に表示されている各位相差画像のずれがなくなり、第１〜第４サブ表示領域７７ａ〜７７ｄの境界が見えなくなる。
【００８６】
なお、スプリットイメージ表示領域の分割の方向，分割数は、上記のものに限られず、左右方向や斜め方向に分割してもよく、２分割、３分割、あるいは５分割以上であってもよい。
【００８７】
［第２４実施形態］
第２４実施形態は、スプリットイメージ表示領域の輪郭形状を楕円とするとともに上部ダイアルを想起させるダイアルイメージを表示するものである。図４１Ａに示すように、表示画面１５ａには、スプリットイメージ表示領域７９内にスプリットイメージが表示されるとともに、ダイアルイメージ８０が表示される。ダイアルイメージ８０は、フォーカス用ダイアルが上部ダイアル９（図１参照）であることを想起させるものであり、ピント調節機能が上部ダイアル９に割り当ててあるときに表示画面１５ａの下部に表示される。上部ダイアル９をまわすと、ダイアルイメージ８０が移動して合焦操作が行われていることが表示される。
【００８８】
スプリットイメージ表示領域７９は、矩形形状であり、上下方向に４分割されて第１〜第４サブ表示領域７９ａ〜７９ｄを有している。撮影レンズのピントが被写体に合致していない非合焦状態では、図４１Ａに示すように、各サブ表示領域７９ａ〜７９ｄ内の各位相差画像が左右方向にずれて表示される。撮影レンズのピントが被写体に合致した合焦状態となると、図４１Ｂに示すように、スプリットイメージ表示領域７９内に表示されている各位相差画像のずれがなくなり、第１〜第４サブ表示領域７９ａ〜７９ｄの境界が見えなくなる。
【００８９】
なお、スプリットイメージ表示領域の分割の方向，分割数は、上記のものに限られず、左右方向や斜め方向に分割してもよく、２分割、３分割、あるいは５分割以上であってもよい。
【００９０】
［第２５実施形態］
第２５実施形態は、カメラ付スマートフォン（多機能携帯電話機）に本発明を適用したものである。図４２ないし図４８に示すように、スマートフォン１０２は、そのボディ１０３に通話ための通信回路などとともにカメラ部１０４を内蔵しており、そのカメラ部１０４の撮影レンズ１０４ａがボディ１０３の背面に露呈している。また、ボディ１０３の前面には、表示部としてのディスプレイ１１５が配されている。ディスプレイ１１５は、撮影モード下では、その表示画面１１５ａにライブビュー表示を行う電子ビューファインダとして機能する。
【００９１】
また、表示画面１１５ａ上には透明なタッチセンサ（図示せず）が重ねられており、表示画面１１５ａに対するタッチ操作によって各種操作を行うことができる。この操作の１つとして、撮影レンズ１０４ａのピント調節操作がある。例えば、表示画面１１５ａに指をタッチした状態で、その指を上下にスライド移動することでピント調節を行うことができる。ボディ１０３の上面に操作ボタン１０９が設けられており、撮影モード下で操作ボタン１０９を押圧操作することによって、カメラ部１０４による撮影が行われる。撮影された画像は内蔵メモリに記憶される。
【００９２】
ライブビュー表示では、表示画面１１５ａに表示画像Ｄ２（図４９Ａ参照）が表示される。表示画面１１５ａに中央付近にスプリットイメージを表示するスプリットイメージ表示領域１１８がある。スプリットイメージ表示領域１１８は、矩形形状であり、上下方向に４分割され、上から順に第１〜第４サブ表示領域１１８ａ〜１１８ｄとなっている。
【００９３】
図４９Ａに示すように、表示画面１１５ａ上には、表示画像Ｄ２が表示される。表示画像Ｄ２のスプリットイメージ表示領域１１８の第１〜第４サブ表示領域１１８ａ〜１１８ｄにはスプリットイメージを構成する第１〜第４位相差画像が表示され、これらのずれにより被写体に対する撮影レンズ４のピントのずれを確認することができる。なお、表示画像Ｄ２を表示するための構成は第１実施形態のもとの同様であるのでその説明を省略する。
【００９４】
撮影レンズのピントが被写体に合致していない非合焦状態では、図４９Ａに示すように、第１〜第４サブ表示領域１１８ａ〜１１８ｄに表示されている各位相差画像が左右方向にずれて表示される。撮影レンズのピントが被写体に合致した合焦状態となると、図４９Ｂに示すように、スプリットイメージ表示領域１８１内に表示されている各位相差画像のずれがなくなり、第１〜第４サブ表示領域１１８ａ〜１１８ｄの境界が見えなくなる。
【００９５】
第１実施形態のデジタルカメラと同様に、第１，第２位相差画素の画素値から撮影レンズのピントのずれ量、及びずれ方向を検出し、そのずれ量、及びずれ方向に基づいてずらした第１〜第４位相差画像を通常画素の画素値から生成してもよい。
【００９６】
図５０に示す例は、表示画面１１５ａを縦長な状態から横長な状態となるようにスマートフォン１０２の姿勢を縦位置から横位置に９０°回転させたとき、スプリットイメージ表示領域１１８をスマートフォン１０２とは逆方向に９０°回転して、スプリットイメージ表示領域１１８の分割方向を上下方向に維持するものである。スマートフォン１０２に内蔵した姿勢センサにより縦位置から横位置になったことが検出されると、図４９Ａ，図４９Ｂに示すような表示状態から、図５０に示すように、スプリットイメージ表示領域１１８を９０°回転されて表示が変えられる。
【００９７】
［第２６実施形態］
第２６実施形態は、スプリットイメージ表示領域の輪郭形状を楕円としたものである。この第２６実施形態、及びこれ以降の各実施形態では、スマートフォンの形状は、第２５実施形態の正面、背面、各側面，平面、及び底面と同じである。また、各実施形態では、スマートフォンの姿勢を９０°回転して、表示画面が縦長な状態となる縦位置にしたときは、図５０に示す例のようにスプリットイメージ表示領域を９０°回転し、スプリットイメージ表示領域の分割方向が変わらないように表示する。さらに、各実施形態では、スプリットイメージ表示領域の表示状態は、第１実施形態と同様に描いてある。
【００９８】
図５１Ａに示すように、スプリットイメージ表示領域１４１は、楕円形状であり、上下方向に４分割されて第１〜第４サブ表示領域１４１ａ〜１４１ｄを有する。撮影レンズのピントが被写体に合致していない非合焦状態では、図５１Ａに示すように、第１〜第４サブ表示領域１４１ａ〜１４１ｄに表示されている各位相差画像が左右方向にずれて表示される。撮影レンズのピントが被写体に合致した合焦状態となると、図５１Ｂに示すように、スプリットイメージ表示領域１４１内に表示されている各位相差画像のずれがなくなり、第１〜第４サブ表示領域１４１ａ〜１４１ｄの境界が見えなくなる。
【００９９】
［第２７実施形態］
第２７実施形態は、輪郭形状が矩形のスプリットイメージ表示領域を左右方向に４分割したものである。図５２Ａに示すように、スプリットイメージ表示領域１４２は、矩形形状であり、左右方向に４分割されて第１〜第４サブ表示領域１４２ａ〜１４２ｄを有する。撮影レンズのピントが被写体に合致していない非合焦状態では、図５２Ａに示すように、各サブ表示領域１４２ａ〜１４２ｄ内の各位相差画像が上下方向にずれて表示される。撮影レンズのピントが被写体に合致した合焦状態となると、図５２Ｂに示すように、スプリットイメージ表示領域１４２内に表示されている各位相差画像のずれがなくなり、第１〜第４サブ表示領域１４２ａ〜１４２ｄの境界が見えなくなる。
【０１００】
［第２８実施形態］
第２８実施形態は、輪郭形状が楕円のスプリットイメージ表示領域を左右方向に４分割したものである。図５３Ａに示すように、スプリットイメージ表示領域１４３は、楕円形状であり、左右方向に４分割されて第１〜第４サブ表示領域１４３ａ〜１４３ｄを有する。撮影レンズのピントが被写体に合致していない非合焦状態では、図５３Ａに示すように、各サブ表示領域１４３ａ〜１４３ｄ内の各位相差画像が上下方向にずれて表示される。撮影レンズのピントが被写体に合致した合焦状態となると、図５３Ｂに示すように、スプリットイメージ表示領域１４３内に表示されている各位相差画像のずれがなくなり、第１〜第４サブ表示領域１４３ａ〜１４３ｄの境界が見えなくなる。
【０１０１】
［第２９実施形態］
第２９実施形態は、輪郭形状が矩形のスプリットイメージ表示領域を上下方向に８分割したものである。図５４Ａに示すように、スプリットイメージ表示領域１４４は、矩形形状であり、上下方向に８分割されて第１〜第８サブ表示領域１４４ａ〜１４４ｈを有する。撮影レンズのピントが被写体に合致していない非合焦状態では、図５４Ａに示すように、各サブ表示領域１４４ａ〜１４４ｈ内の各位相差画像が左右方向にずれて表示される。撮影レンズのピントが被写体に合致した合焦状態となると、図５４Ｂに示すように、スプリットイメージ表示領域１４４内に表示されている各位相差画像のずれがなくなり、第１〜第８サブ表示領域１４４ａ〜１４４ｈの境界が見えなくなる。
【０１０２】
［第３０実施形態］
第３０実施形態は、輪郭形状が矩形のスプリットイメージ表示領域を斜め方向に４分割したものである。図５５Ａに示すように、スプリットイメージ表示領域１４５は、縦横比が表示画面１１５ａと同じ矩形形状であり、斜め方向に４分割されて第１〜第４サブ表示領域１４５ａ〜１４５ｄを有する。撮影レンズのピントが被写体に合致していない非合焦状態では、図５５Ａに示すように、各サブ表示領域１４５ａ〜１４５ｄ内の各位相差画像がスプリットイメージ表示領域１４５の分割方向と直交する方向にずれて表示される。撮影レンズのピントが被写体に合致した合焦状態となると、図５５Ｂに示すように、スプリットイメージ表示領域１４５内に表示されている各位相差画像のずれがなくなり、第１〜第４サブ表示領域１４５ａ〜１４５ｄの境界が見えなくなる。
【０１０３】
［第３１実施形態］
第３１実施形態は、輪郭形状が楕円のスプリットイメージ表示領域を斜め方向に４分割したものである。図５６Ａに示すように、スプリットイメージ表示領域１４６は、楕円形状であり、斜め方向に４分割されて第１〜第４サブ表示領域１４６ａ〜１４６ｄを有する。撮影レンズのピントが被写体に合致していない非合焦状態では、図５６Ａに示すように、各サブ表示領域１４６ａ〜１４６ｄ内の各位相差画像がスプリットイメージ表示領域１４６の分割方向と直交する方向にずれて表示される。撮影レンズのピントが被写体に合致した合焦状態となると、図５６Ｂに示すように、スプリットイメージ表示領域１４６内に表示されている各位相差画像のずれがなくなり、第１〜第４サブ表示領域１４６ａ〜１４６ｄの境界が見えなくなる。
【０１０４】
［第３２実施形態］
第３２実施形態は、輪郭形状が矩形のスプリットイメージ表示領域を斜め方向に２分割したものである。図５７Ａに示すように、スプリットイメージ表示領域１４７は、矩形形状であり、斜め方向に２分割されて第１，第２サブ表示領域１４７ａ，１４７ｂを有する。撮影レンズのピントが被写体に合致していない非合焦状態では、図５７Ａに示すように、各サブ表示領域１４７ａ，１４７ｂ内の各位相差画像がスプリットイメージ表示領域１４７の分割方向に直交する方向にずれて表示される。撮影レンズのピントが被写体に合致した合焦状態となると、図５７Ｂに示すように、スプリットイメージ表示領域１４７内に表示されている各位相差画像のずれがなくなり、第１，第２サブ表示領域１４７ａ，１４７ｂの境界が見えなくなる。
【０１０５】
［第３３実施形態］
第３３実施形態は、輪郭形状が楕円のスプリットイメージ表示領域を斜め方向に２分割したものである。図５８Ａに示すように、スプリットイメージ表示領域１４８は、楕円形状であり、斜め方向に２分割されて第１，第２サブ表示領域１４８ａ，１４８ｂを有する。撮影レンズのピントが被写体に合致していない非合焦状態では、図５８Ａに示すように、各サブ表示領域１４８ａ，１４８ｂ内の各位相差画像がスプリットイメージ表示領域１４８の分割方向に直交する方向にずれて表示される。撮影レンズのピントが被写体に合致した合焦状態となると、図５８Ｂに示すように、スプリットイメージ表示領域１４８内に表示されている各位相差画像のずれがなくなり、第１，第２サブ表示領域１４８ａ，１４８ｂの境界が見えなくなる。
【０１０６】
［第３４実施形態］
第３４実施形態は、輪郭形状が真円のスプリットイメージ表示領域を上下方向に４分割したものである。図５９Ａに示すように、スプリットイメージ表示領域１４９は、真円形状であり、上下方向に４分割されて第１〜第４サブ表示領域１４９ａ〜１４９ｄを有する。撮影レンズのピントが被写体に合致していない非合焦状態では、図５９Ａに示すように、各サブ表示領域１４９ａ〜１４９ｄ内の各位相差画像が左右方向にずれて表示される。撮影レンズのピントが被写体に合致した合焦状態となると、図５９Ｂに示すように、スプリットイメージ表示領域１４９内に表示されている各位相差画像のずれがなくなり、第１〜第４サブ表示領域１４９ａ〜１４９ｄの境界が見えなくなる。
【０１０７】
［第３５実施形態］
第３５実施形態は、輪郭形状が真円のスプリットイメージ表示領域を左右方向に４分割したものである。図６０Ａに示すように、スプリットイメージ表示領域１５０は、真円形状であり、左右方向に４分割されて第１〜第４サブ表示領域１５０ａ〜１５０ｄを有する。撮影レンズのピントが被写体に合致していない非合焦状態では、図６０Ａに示すように、各サブ表示領域１５０ａ〜１５０ｄ内の各位相差画像が上下方向にずれて表示される。撮影レンズのピントが被写体に合致した合焦状態となると、図６０Ｂに示すように、スプリットイメージ表示領域１５０内に表示されている各位相差画像のずれがなくなり、第１〜第４サブ表示領域１５０ａ〜１５０ｄの境界が見えなくなる。
【０１０８】
［第３６実施形態］
第３６実施形態は、スプリットイメージ表示領域の輪郭形状を矩形とするとともに情報表示部を表示画面に表示したものである。図６１Ａに示すように、表示画面１１５ａには、スプリットイメージ表示領域１５１内にスプリットイメージが表示されるとともに、情報表示部１５２とが表示される。情報表示部１５２は、表示画面１１５ａの下部に表示され、デジタルカメラに設定されている露出モード（絞り優先ＡＥ，シャッタ速度優先ＡＥ、プログラムなど）や測光モード、残存電気量（電池残量）を示す記号、設定されているシャッタ速度、絞り値、撮影感度などを表示する。なお、この情報表示部１５２に、第１，第２位相差画素上に形成される像のずれ（位相差）に相当する値を表示してもよい。ずれに相当する値としては、そのずれ量を示す画素数や、撮影レンズのピントが合致している距離と被写体距離との差などがある。
【０１０９】
スプリットイメージ表示領域１５１は、矩形形状であり、上下方向に４分割されて第１〜第４サブ表示領域１５１ａ〜１５１ｄを有する。撮影レンズのピントが被写体に合致していない非合焦状態では、図６１Ａに示すように、各サブ表示領域１５１ａ〜１５１ｄ内の各位相差画像が左右方向にずれて表示される。撮影レンズのピントが被写体に合致した合焦状態となると、図６１Ｂに示すように、スプリットイメージ表示領域１５１内に表示されている各位相差画像のずれがなくなり、第１〜第４サブ表示領域１５１ａ〜１５１ｄの境界が見えなくなる。
【０１１０】
図６２に示す変形例は、情報表示部１５２に代えて、表示画面１１５ａの上部に情報表示部１５３を表示したものである。また、図６３に示す変形例は、表示画面１１５ａの左端に情報表示部１５４を表示したものである。図６４に示す変形例は、表示画面１１５ａの右端に情報表示部１５６を表示したものである。なお、図６２〜図６４の各変形例におけるスプリットイメージ表示領域の表示は、図６１Ａ，図６１Ｂに示すものと同様である。
【０１１１】
なお、スプリットイメージ表示領域の輪郭形状は、矩形に限られず、例えば円や楕円であってもよい。また、スプリットイメージ表示領域の分割を方向，分割数についても、上記のものに限られず、左右方向や斜め方向に分割してもよく、２分割、３分割、あるいは５分割以上であってもよい。
【０１１２】
［第３７実施形態］
第３７実施形態は、スプリットイメージ表示領域の輪郭形状を矩形とするとともに小サイズの情報表示部を表示画面に表示したものである。図６５Ａに示すように、表示画面１１５ａには、スプリットイメージ表示領域１５７内にスプリットイメージが表示されるとともに、情報表示部１５８とが表示される。情報表示部１５８は、小サイズの矩形形状であり、表示画面１１５ａの左上に表示される。情報表示部１５８には、例えばスマートフォン１０２に設定されている露出モード（絞り優先ＡＥ，シャッタ速度優先ＡＥ、プログラムなど）を示す記号を表示する。なお、この情報表示部１５７に、第１，第２位相差画素上に形成される像のずれ（位相差）に相当する値を表示してもよい。ずれに相当する値としては、そのずれ量を示す画素数や、撮影レンズのピントが合致している距離と被写体距離との差などがある。
【０１１３】
スプリットイメージ表示領域１５７は、矩形形状である。また、スプリットイメージ表示領域１５７は、上下方向に４分割されて第１〜第４サブ表示領域１５７ａ〜１５７ｄを有する。撮影レンズのピントが被写体に合致していない非合焦状態では、図６５Ａに示すように、各サブ表示領域１５７ａ〜１５７ｄ内の各位相差画像が左右方向にずれて表示される。撮影レンズのピントが被写体に合致した合焦状態となると、図６５Ｂに示すように、スプリットイメージ表示領域１５７内に表示されている各位相差画像のずれがなくなり、第１〜第４サブ表示領域１５７ａ〜１５７ｄの境界が見えなくなる。
【０１１４】
図６６に示す変形例は、情報表示部１５８の表示位置を表示画面１１５ａの右上としたものである。また、図６７に示す変形例は、情報表示部１５８の表示位置を表示画面１１５ａの左下としたものである。さらに、図６８に示す変形例は、情報表示部１５８の表示位置を表示画面１１５ａの右下としたものである。図６６〜図６８の各変形例におけるスプリットイメージ表示領域５７の表示は、図６５Ａ，図６５Ｂと同じである。
【０１１５】
なお、スプリットイメージ表示領域の輪郭形状は、矩形に限られず、例えば円や楕円であってもよい。また、スプリットイメージ表示領域の分割を方向，分割数についても、上記のものに限られず、左右方向や斜め方向に分割してもよく、２分割、３分割、あるいは５分割以上であってもよい。
【０１１６】
［第３８実施形態］
第３８実施形態は、表示画面上の情報表示部以外の領域をスプリットイメージ表示領域としたものである。図６９Ａに示すように、表示画面１１５ａの下部に画面幅で情報表示部１６１が表示される。情報表示部１６１は、スマートフォン２に設定されている露出モード（絞り優先ＡＥ，シャッタ速度優先ＡＥ、プログラムなど）や測光モード、残存電気量（電池残量を示す記号、設定されているシャッタ速度、絞り値、撮影感度などを表示する。なお、この情報表示部１６１に、第１，第２位相差画素上に形成される像のずれ（位相差）に相当する値を表示してもよい。ずれに相当する値としては、そのずれ量を示す画素数や、撮影レンズのピントが合致している距離と被写体距離との差などがある。
【０１１７】
表示画面１１５ａ上の情報表示部１６１を除く領域がスプリットイメージ表示領域１６２になっている。したがって、表示画像Ｄ２の全てがスプリットイメージ表示領域１６２内に表示される。スプリットイメージ表示領域１６２は、上下方向に４分割されて第１〜第４サブ表示領域１６２ａ〜１６２ｄを有する。撮影レンズのピントが被写体に合致していない非合焦状態では、図６９Ａに示すように、各サブ表示領域１６２ａ〜１６２ｄ内の各位相差画像が左右方向にずれて表示される。撮影レンズのピントが被写体に合致した合焦状態となると、図６９Ｂに示すように、スプリットイメージ表示領域１６２内に表示されている各位相差画像のずれがなくなり、第１〜第４サブ表示領域１６２ａ〜１６２ｄの境界が見えなくなる。
【０１１８】
［第３９実施形態］
第３９実施形態は、輪郭形状が矩形のスプリットイメージ表示領域を上下方向に２分割したものである。図７０Ａに示すように、スプリットイメージ表示領域１６３は、縦横比が表示画面１１５ａと同じ矩形形状であり、上下方向に２分割されて第１，第２サブ表示領域１６３ａ，１６３ｂを有する。撮影レンズのピントが被写体に合致していない非合焦状態では、図７０Ａに示すように、各サブ表示領域１６３ａ，１６３ｂ内の各位相差画像が左右方向にずれて表示される。撮影レンズのピントが被写体に合致した合焦状態となると、図７０Ｂに示すように、スプリットイメージ表示領域１６３内に表示されている各位相差画像のずれがなくなり、第１，第２サブ表示領域１６３ａ，１６３ｂの境界が見えなくなる。
【０１１９】
［第４０実施形態］
第４０実施形態は、輪郭形状が楕円のスプリットイメージ表示領域を上下方向に２分割したものである。図７１Ａに示すように、スプリットイメージ表示領域１６４は、楕円形状であり、上下方向に２分割されて第１，第２サブ表示領域１６４ａ，１６４ｂを有する。撮影レンズのピントが被写体に合致していない非合焦状態では、図７１Ａに示すように、各サブ表示領域１６４ａ，１６４ｂ内の各位相差画像が左右方向にずれて表示される。撮影レンズのピントが被写体に合致した合焦状態となると、図７１Ｂに示すように、スプリットイメージ表示領域１６４内に表示されている各位相差画像のずれがなくなり、第１，第２サブ表示領域１６４ａ，１６４ｂの境界が見えなくなる。
【０１２０】
［第４１実施形態］
第４１実施形態は、表示画像の全面をスプリットイメージ表示領域とし上下方向に２分割したものである。図７２Ａに示すように、表示画像Ｄ２の全面がスプリットイメージ表示領域１６５になっており、スプリットイメージ表示領域１６５は、上下方向に２分割されて第１，第２サブ表示領域１６５ａ，１６５ｂを有している。撮影レンズのピントが被写体に合致していない非合焦状態では、図７２Ａに示すように、各サブ表示領域１６５ａ，１６５ｂ内の各位相差画像が左右方向にずれて表示される。撮影レンズのピントが被写体に合致した合焦状態となると、図７２Ｂに示すように、スプリットイメージ表示領域１６５内に表示されている各位相差画像のずれがなくなり、第１，第２サブ表示領域１６５ａ，１６５ｂの境界が見えなくなる。
【０１２１】
［第４２実施形態］
第４２実施形態は、表示画像の全面をスプリットイメージ表示領域とし上下方向に４分割したものである。図７３Ａに示すように、表示画像Ｄ２の全面がスプリットイメージ表示領域１６６になっており、スプリットイメージ表示領域１６６は、上下方向に４分割されて第１〜第４サブ表示領域１６６ａ〜１６６ｄを有している。撮影レンズのピントが被写体に合致していない非合焦状態では、図７３Ａに示すように、各サブ表示領域１６６ａ〜１６６ｄ内の各位相差画像が左右方向にずれて表示される。撮影レンズのピントが被写体に合致した合焦状態となると、図７３Ｂに示すように、スプリットイメージ表示領域１６６内に表示されている各位相差画像のずれがなくなり、第１〜第４サブ表示領域１６６ａ〜１６６ｄの境界が見えなくなる。
【０１２２】
［第４３実施形態］
第４３実施形態は、スプリットイメージの表示パターンを選択可能にしたものである。以下に説明する他の構成は、第１実施形態のもとの同じであり、同じ構成部材には同一の符号を付してその詳細な説明を省略する。なお、デジタルカメラを例にして説明するが、スマートフォンにも利用することができる。
【０１２３】
図７４に示すように、制御部２０には、選択部２０１とパターンメモリ２０２とが接続されている。パターンメモリ２０２には、上記第１〜第２４実施形態で示した各スプリット表示領域に対応するスプリットイメージの各表示パターンが記憶されている。表示パターンは、スプリットイメージの表示形式を規定する情報であり、スプリットイメージ表示領域の範囲（形状やサイズ、位置）、分割方向，分割数（サブ表示領域の個数）の各情報を組み合わせたものとなっている。また、第１２〜１４実施形態のように情報表示部を表示するものでは、情報表示部の表示位置、情報表示部に表示すべき情報の種類なども含んでいる。選択部２０１は、それを操作することによって、パターンメモリ２０２に記憶されている各表示パターンを表示画面１５に表示させ、そのうちの１つを選択できる。
【０１２４】
制御部２０は、選択部２０１で選択された表示パターンの各情報を画像処理部２５に送ることによって、画像処理部２５が選択された表示パターンのスプリットイメージを構成する各位相差画像を第１，第２位相差画素の画素値から生成し、そのスプリットイメージを合成した表示画像を生成するように制御する。
【０１２５】
この例によれば、スプリットイメージの表示パターンを選択することができるので、被写体の有するエッジ成分の方向や位置などに応じて位相差画像同士のずれが認識しやすい表示ーンのスプリットイメージを用いて撮影レンズ４のピント調節を行える。
【符号の説明】
【０１２６】
２  デジタルカメラ
４  撮影レンズ
６  フォーカスリング
１２  撮像素子
１５  モニタ
１５ａ  表示画面
１８  スプリットイメージ表示領域
１８ａ〜１８ｄ  サブ表示領域
Ｐ１〜Ｐ４  位相差画像
【図１】
2014110523.tif 000003
【図２】
2014110523.tif 000004
【図３】
2014110523.tif 000005
【図４】
2014110523.tif 000006
【図５】
2014110523.tif 000007
【図６】
2014110523.tif 000008
【図７】
2014110523.tif 000009
【図８】
2014110523.tif 000010
【図９】
2014110523.tif 000011
【図１０】
2014110523.tif 000012
【図１１Ａ】
2014110523.tif 000013
【図１１Ｂ】
2014110523.tif 000014
【図１２】
2014110523.tif 000015
【図１３Ａ】
2014110523.tif 000016
【図１３Ｂ】
2014110523.tif 000017
【図１４Ａ】
2014110523.tif 000018
【図１４Ｂ】
2014110523.tif 000019
【図１５Ａ】
2014110523.tif 000020
【図１５Ｂ】
2014110523.tif 000021
【図１６Ａ】
2014110523.tif 000022
【図１６Ｂ】
2014110523.tif 000023
【図１７Ａ】
2014110523.tif 000024
【図１７Ｂ】
2014110523.tif 000025
【図１８Ａ】
2014110523.tif 000026
【図１８Ｂ】
2014110523.tif 000027
【図１９Ａ】
2014110523.tif 000028
【図１９Ｂ】
2014110523.tif 000029
【図２０Ａ】
2014110523.tif 000030
【図２０Ｂ】
2014110523.tif 000031
【図２１Ａ】
2014110523.tif 000032
【図２１Ｂ】
2014110523.tif 000033
【図２２Ａ】
2014110523.tif 000034
【図２２Ｂ】
2014110523.tif 000035
【図２３Ａ】
2014110523.tif 000036
【図２３Ｂ】
2014110523.tif 000037
【図２４】
2014110523.tif 000038
【図２５】
2014110523.tif 000039
【図２６】
2014110523.tif 000040
【図２７Ａ】
2014110523.tif 000041
【図２７Ｂ】
2014110523.tif 000042
【図２８】
2014110523.tif 000043
【図２９】
2014110523.tif 000044
【図３０】
2014110523.tif 000045
【図３１Ａ】
2014110523.tif 000046
【図３１Ｂ】
2014110523.tif 000047
【図３２Ａ】
2014110523.tif 000048
【図３２Ｂ】
2014110523.tif 000049
【図３３Ａ】
2014110523.tif 000050
【図３３Ｂ】
2014110523.tif 000051
【図３４Ａ】
2014110523.tif 000052
【図３４Ｂ】
2014110523.tif 000053
【図３５Ａ】
2014110523.tif 000054
【図３５Ｂ】
2014110523.tif 000055
【図３６Ａ】
2014110523.tif 000056
【図３６Ｂ】
2014110523.tif 000057
【図３７Ａ】
2014110523.tif 000058
【図３７Ｂ】
2014110523.tif 000059
【図３８Ａ】
2014110523.tif 000060
【図３８Ｂ】
2014110523.tif 000061
【図３９Ａ】
2014110523.tif 000062
【図３９Ｂ】
2014110523.tif 000063
【図４０Ａ】
2014110523.tif 000064
【図４０Ｂ】
2014110523.tif 000065
【図４１Ａ】
2014110523.tif 000066
【図４１Ｂ】
2014110523.tif 000067
【図４２】
2014110523.tif 000068
【図４３】
2014110523.tif 000069
【図４４】
2014110523.tif 000070
【図４５】
2014110523.tif 000071
【図４６】
2014110523.tif 000072
【図４７】
2014110523.tif 000073
【図４８】
2014110523.tif 000074
【図４９Ａ】
2014110523.tif 000075
【図４９Ｂ】
2014110523.tif 000076
【図５０】
2014110523.tif 000077
【図５１Ａ】
2014110523.tif 000078
【図５１Ｂ】
2014110523.tif 000079
【図５２Ａ】
2014110523.tif 000080
【図５２Ｂ】
2014110523.tif 000081
【図５３Ａ】
2014110523.tif 000082
【図５３Ｂ】
2014110523.tif 000083
【図５４Ａ】
2014110523.tif 000084
【図５４Ｂ】
2014110523.tif 000085
【図５５Ａ】
2014110523.tif 000086
【図５５Ｂ】
2014110523.tif 000087
【図５６Ａ】
2014110523.tif 000088
【図５６Ｂ】
2014110523.tif 000089
【図５７Ａ】
2014110523.tif 000090
【図５７Ｂ】
2014110523.tif 000091
【図５８Ａ】
2014110523.tif 000092
【図５８Ｂ】
2014110523.tif 000093
【図５９Ａ】
2014110523.tif 000094
【図５９Ｂ】
2014110523.tif 000095
【図６０Ａ】
2014110523.tif 000096
【図６０Ｂ】
2014110523.tif 000097
【図６１Ａ】
2014110523.tif 000098
【図６１Ｂ】
2014110523.tif 000099
【図６２】
2014110523.tif 000100
【図６３】
2014110523.tif 000101
【図６４】
2014110523.tif 000102
【図６５Ａ】
2014110523.tif 000103
【図６５Ｂ】
2014110523.tif 000104
【図６６】
2014110523.tif 000105
【図６７】
2014110523.tif 000106
【図６８】
2014110523.tif 000107
【図６９Ａ】
2014110523.tif 000108
【図６９Ｂ】
2014110523.tif 000109
【図７０Ａ】
2014110523.tif 000110
【図７０Ｂ】
2014110523.tif 000111
【図７１Ａ】
2014110523.tif 000112
【図７１Ｂ】
2014110523.tif 000113
【図７２Ａ】
2014110523.tif 000114
【図７２Ｂ】
2014110523.tif 000115
【図７３Ａ】
2014110523.tif 000116
【図７３Ｂ】
2014110523.tif 000117
【図７４】
2014110523.tif 000118